(57)【要約】  無線ネットワーク分野に係わっていて、前記方法は、ネットワークの実際配置に基づいて、ネットワークで実際運行中のネットワーク管理データをエクスポートし、企画データを前記ネットワーク管理データと同じフォームの中間ファイルに変換し、前記中間ファイルと前記ネットワーク管理データとを比較し、比較結果に基づいて、ネットワーク管理データを更新することで、前記企画データと前記ネットワーク管理データとの一致を実現するステップを含む。本発明によると、企画データと実際のネットワーク管理データとの一致を確保でき、ネットワークの運行中の性能の信頼性を保証できる。
2015530050.tif 000002
【特許請求の範囲】
【請求項１】
ネットワークの実際配置に基づいて、ネットワークで実際運行中のネットワーク管理データをエクスポートし、
企画データを前記ネットワーク管理データと同じフォームの中間ファイルに変換し、
前記中間ファイルと前記ネットワーク管理データとを比較し、比較結果に基づいて、ネットワーク管理データを更新することによって、前記企画データと前記ネットワーク管理データとの一致を実現するステップを含む企画データの一致性を保証する方法。
【請求項２】
ネットワークの状況とネットワーク企画原則に従って、ネットワークの企画を行うことで、予定のモデルフォームの企画データを得る請求項１に記載の方法。
【請求項３】
前記予定のモデルフォームに応じて、配置ファイルを生成し、また、前記配置ファイルに基づいて、企画データを設定して、ネットワーク管理データと同じフォームの中間ファイルを得る請求項２に記載の方法。
【請求項４】
前記比較結果が、データの補正又はデータの削除を表するマーク情報を含む請求項１に記載の方法。
【請求項５】
前記マーク情報がデータの補正を表する場合、前記企画データに基づいて、前記ネットワーク管理データを補正する請求項４に記載の方法。
【請求項６】
前記マーク情報がデータの削除を表する場合、前記ネットワーク管理データを削除する請求項４に記載の方法。
【請求項７】
ネットワークの実際配置に基づいて、ネットワークで実際運行中のネットワーク管理データをエクスポートするデータエクスポートユニットと、
企画データを前記ネットワーク管理データと同じフォームの中間ファイルに変換するデータ変換ユニットと、
前記中間ファイルと前記ネットワーク管理データとを比較し、比較結果に基づいて、ネットワーク管理データを更新して前記企画データと前記ネットワーク管理データとの一致を実現するデータ更新ユニットと、を含む企画データの一致性を保証する装置。
【請求項８】
ネットワーク状況とネットワーク企画原則に従って、ネットワークの企画を行って予定のモデルフォームの企画データを得る企画データ生成ユニットを更に含む請求項７に記載の装置。
【請求項９】
前記データ変換ユニットが、
前記予定のモデルフォームに応じて、配置ファイルを生成する配置ファイル生成サブユニットと、
前記配置ファイルに基づいて、企画データを設定し、ネットワーク管理データと同じフォームの中間ファイルを得る中間ファイル生成サブユニットを含む請求項７又は８に記載の装置。
【請求項１０】
前記データ更新ユニットが、
前記中間ファイルと前記ネットワーク管理データとを比較し、データの補正又はデータの削除を表するマーク情報を有する比較結果を得るデータ比較サブユニットと、
前記マーク情報がデータの補正を表する場合、前記企画データに基づいて前記ネットワーク管理データを補正し、前記マーク情報がデータの削除を表する場合、前記ネットワーク管理データを削除する比較結果応用サブユニットと、を含む請求項７又は８に記載の装置。
【発明の詳細な説明】
【技術分野】
【０００１】
本発明は、無線ネットワーク技術に関し、具体的に、企画データの一致性を保証する方法及びそれに関連する装置に関する。
【背景技術】
【０００２】
ネットワークの最適化を実現する場合、ネットワークＫＰＩの低下は殆どが企画パラメータと実際のネットワーク管理中に運行しているパラメータとの不一致によるものである。一方、ネットワークには大量のパラメータが存在していて、人工的チェックを行うと、時間を浪費してしまう。これに対し、既存技術に以下のようなデータ一致性検査アルゴリズムが開示された：
１、第１のネットワークエレメント機器及び複数の第２のネットワークエレメント機器に接続されて、第１のネットワークエレメント機器と各第２のネットワークエレメント機器に記憶されたデータ情報を収集するデータ収集モジュールと、収集したデータ情報を予定のフォームに処理する前処理モジュールと、予定のフォームに処理したデータ情報に基づいて、第１のネットワークエレメント機器から収集したデータ情報と第２のネットワークエレメント機器から収集したデータ情報とが一致するか否かを比較する比較モジュールと、比較結果に基づいて、第１のネットワークエレメント機器中のデータ情報と第２のネットワークエレメント機器中のデータ情報とを一致するデータ情報に同期させる同期モジュールとを含むデータの一致性を実現する方法及びシステム。前記技術案によると、データ一致性管理の効率及び正確性を向上させることができるが、比較結果は手動で補正しなければならない。
【０００３】
２、サーバーと協働して全てのバージョン番号を比較し、二つのバージョン番号が比較不可能であると、強制合併規則に従って、新しいバージョン番号を決め、サーバーと協働して、ローカルでバージョン番号及びそれに対応するデータを更新し、データ更新要求と、新しいバージョン番号と、それに対応するデータとを各サブサーバーに送信するステップを含むデータ一致性を保持する方法及びシステム。前記技術案によると、各サーバー中のデータの一致を正確且つ効率的に保証できるが、バージョン番号を考慮しなければならない。
【発明の概要】
【発明が解決しようとする課題】
【０００４】
本発明の実施例は、企画データとネットワーク管理中に実際に配置されたネットワーク管理データとの一致性を保証する問題を解決できる企画データの一致性を保証する方法及び装置を提供する。
【課題を解決するための手段】
【０００５】
本発明の実施例の一態様によると、
ネットワークの実際配置に基づいて、ネットワークで実際運行中のネットワーク管理データをエクスポートし、
企画データを前記ネットワーク管理データと同じフォームの中間ファイルに変換し、
前記中間ファイルと前記ネットワーク管理データとを比較し、比較結果に基づいて、ネットワーク管理データを更新することによって、前記企画データと前記ネットワーク管理データとの一致を実現するステップを含む企画データの一致性を保証する方法を提供する。
【０００６】
ネットワーク状況とネットワーク企画原則に従って、ネットワーク企画を行うことで、予定のモデルフォームの企画データを得ることが好ましい。
【０００７】
前記予定のモデルフォームに応じて、配置ファイルを生成し、また、前記配置ファイルに基づいて、企画データを設定して、ネットワーク管理データと同じフォームの中間ファイルを得ることが好ましい。
【０００８】
前記比較結果が、データの補正又はデータの削除を表するマーク情報を含むことが好ましい。
【０００９】
前記マーク情報がデータの補正を表する場合、前記企画データに基づいて、前記ネットワーク管理データを補正することが好ましい。
【００１０】
前記マーク情報がデータの削除を表する場合、前記ネットワーク管理データを削除することが好ましい。
【００１１】
本発明の実施例の他の一態様によると、
ネットワークの実際配置に基づいて、ネットワークで実際運行中のネットワーク管理データをエクスポートするデータエクスポートユニットと、
企画データを前記ネットワーク管理データと同じフォームの中間ファイルに変換するデータ変換ユニットと、
前記中間ファイルと前記ネットワーク管理データとを比較し、比較結果に基づいて、ネットワーク管理データを更新して前記企画データと前記ネットワーク管理データとの一致を実現するデータ更新ユニットと、を含む企画データの一致性を保証する装置を提供する。
【００１２】
ネットワーク状況とネットワーク企画原則に従って、ネットワークの企画を行って予定のモデルフォームの企画データを得る企画データ生成ユニットを更に含むことが好ましい。
【００１３】
前記データ変換ユニットが、
前記予定のモデルフォームに応じて、配置ファイルを生成する配置ファイル生成サブユニットと、
前記配置ファイルに基づいて、企画データを設定し、ネットワーク管理データと同じフォームの中間ファイルを得る中間ファイル生成サブユニットを含むことが好ましい。
【００１４】
前記データ更新ユニットが、
前記中間ファイルと前記ネットワーク管理データとを比較し、データの補正又はデータの削除を表するマーク情報を有する比較結果を得るデータ比較サブユニットと、
前記マーク情報がデータの補正を表する場合、前記企画データに基づいて前記ネットワーク管理データを補正し、前記マーク情報がデータの削除を表する場合、前記ネットワーク管理データを削除する比較結果応用サブユニットと、を含むことが好ましい。
【発明の効果】
【００１５】
既存技術に比べ、本発明の実施例によると以下のような有益な効果を実現できる：本発明の実施例によると、データを比較することで、企画データとネットワーク管理中に実際配置されたネットワーク管理データとの間の差異を発現し、比較結果をＭ（補正）とＤ（削除）をマークとしてネットワーク管理で有効にすることで、企画データとネットワーク管理中に実際配置されたデータとの一致性を確保できる。
【図面の簡単な説明】
【００１６】
【図１】本発明の実施例に係わる企画データの一致性を保証する方法を示すブロック図である。
【図２】本発明の実施例に係わる企画データの一致性を保証する方法を比較したフローチャートである。
【図３】本発明の実施例に係わる企画データテーブルである。
【図４】本発明の実施例に係わるネットワーク管理からエクスポートしたネットワーク全体のパラメータテーブルである。
【図５】本発明の実施例に係わる中間ファイルを示す図である。
【図６】本発明の実施例に係わる比較結果を示す図である。
【発明を実施するための形態】
【００１７】
以下、図面を参照して本発明の好適な実施例を詳しく説明する。ここで、以下で説明する好適な実施例は本発明を説明し解釈するためのものであって、本発明を限定するためのものではないことは言うまでもない。
図１は、本発明の実施例に係わる企画データの一致性を保証する方法を示すブロック図で、図１に示すように、以下のステップを含む。
ネットワークの実際配置に基づいて、ネットワークで実際運行中のネットワーク管理データをエクスポートする（ステップ１０１）。
【００１８】
企画データを前記ネットワーク管理データと同じフォームの中間ファイルに変換する（ステップ１０２）。
【００１９】
前記企画データは、ネットワークの状況及びネットワーク企画原則に従ってネットワークの企画を行って得られた予定のモデルフォームのデータである。企画データの比較及び比較後のネットワーク管理データの応用の便宜を図るため、前記予定のモデルフォームに基づいて、配置ファイルを生成し、また、前記配置ファイルに基づいて、企画データを設定することで、ネットワーク管理データと同じフォームの中間ファイルを得る。
【００２０】
前記中間ファイルと前記ネットワーク管理データとを比較し、比較結果に基づいて、ネットワーク管理データを更新することで、前記企画データと前記ネットワーク管理データとの一致を実現する（ステップ１０３）。
【００２１】
前記比較結果は、データの補正又はデータの削除を表するマーク情報を含む。前記マーク情報がデータの補正を表する場合、前記企画データに基づいて、前記ネットワーク管理データを補正し、前記マーク情報がデータの削除を表する場合、前記ネットワーク管理データを削除する。
【００２２】
図２は本発明の実施例に係わる企画データの一致性を保証する方法を比較したフローチャートで、図２に示すように、主に以下のステップを含む。
データを企画する（ステップ２０１）
データの企画は、ネットワーク運行に必須なステップで、データの企画は、企画者がネットワークの実際状況及び関連する原則に従って企画したものであって、ネットワークの運行に必須なパラメータ情報を含む。データが送信された後のネットワークでの運行又は関連する性能の正常を確保するため、企画データの保守及びチェックは不可欠である。企画データは、一定のモデルフォームに従って現れるが、当該モデルフォームは決められたものではなく、実際の状況に応じて追加又は削除操作を行うことができる。
【００２３】
ネットワーク管理からネットワーク全体のパラメータをエクスポートする（ステップ２０２）
ネットワーク全体のパラメータは、ネットワークで実際運行中のネットワーク管理データで、陸上パラメータと無線パラメータ等の関連する情報を含む。データのエクスポートは手動方式と自動方式がある。
１、手動方式は、ユーザがネットワーク管理パラメータを所定の目録に手動でエクスポートする方式である。
２、自動方式は、ユーザがジョブを制定することによって、データをエクスポートする時刻、頻度、データの記憶ルート、記憶時間等を設定すると、ユーザが設定した条件にしたがって、自動にデータのエクスポートを行う方式である。
【００２４】
モデルフォームに基づいて、配置ファイルを制定する（ステップ２０３）
配置ファイルは、比較する際に必要なメインキー、開始する行、列等の情報を含み、その設定規則は企画データのフォームと関連付けられていて、比較結果の正確を保証する前提条件である。
【００２５】
比較する（ステップ２０４）
データの比較は以下のステップを含む。
１、データの検査
配置ファイルに設定されたメインキーで、企画データをネットワーク管理からエクスポートしたデータから探すことができるか否かを検査し、探すことができると、ステップ２に移行し、探すことができないと、ユーザに比較するか否かを判定させ、比較すると、ステップ２に移行し、そうでないと、比較から退出する。
２、企画データを配置ファイルに基づいて設定し、ネットワーク管理からエクスポートしたデータフォームに従って、中間ファイルを生成する。
３、中間ファイルとネットワーク管理からエクスポートしたネットワーク全体のパラメータとを比較する。比較する場合、以下の２種類の方式で行う：
１）手動比較、即ち、ユーザが手動でデータの比較を行う。
２）自動比較、即ち、ユーザが比較ジョブを指定することで、比較の時刻、比較の対象、比較結果の記憶ルート等を設定すると、設定されたジョブ状況に応じて、自動に比較を完成する。
【００２６】
比較結果を有効にする（ステップ２０５）
比較結果をネットワーク管理からエクスポートしたデータフォームで出力し、ネットワーク管理のパラメータ大量補正機能によってデータの補正操作を行うことができる。比較結果の符号はＭ（補正）とＤ（削除）の２種類で、ネットワーク管理データと企画データが一致しない場合、符号はＭで、ネットワーク管理データを企画データ中の値に補正する必要があることを表し、ネットワーク管理データを企画データで探すことができない場合、符号はＤで、ネットワーク管理中のデータを企画データで探すことができないことを表し、前記ネットワーク管理データを削除しなければならない。
【００２７】
比較結果は２種類がある：
１）手動で有効にする：即ち、ユーザが比較結果を手動で有効にする。
２）自動で有効にする：即ち、システムが自動で比較結果を有効にする。
【００２８】
以下、図３〜図６の具体的な操作例を結合して、本発明の実施例を更に説明する。
１、図３に示すように、企画データテーブルを作成する。ここで、
第１行は、例えばＵＥＥ−ＵＴＲＡＮＭｅａｓｕｒｅｍｅｎｔ のようなｓｈｅｅｔ頁名称を表し、その値はネットワーク管理からエクスポートされたネットワーク全体のパラメータテーブル中のｓｈｅｅｔ頁名称と一致しなければならなく、そうでないと、中間ファイルを生成する際に、対応するｓｈｅｅｔ頁を探すことができなくなる。
第２行と第３行は、例えばＭｅａｓｕｒｅｍｅｎｔ  Ｃｏｎｆｉｇｕｒａｔｉｏｎ  ＩｎｄｅｘとＷＭＥＡＳＣＦＧＩＤＸのような当該テーブルのメインキーを表し、その中の第３行は短い名称で、比較する際にそれをメインキーとし、第２行は第３行の正式名称で、調査のみに用いられる。
第４行はメインキーの下の値である。
第５行と第６行は比較すべき対象で、比較する際、第６行を調査する。第５行は第６行の正式名称で、調査のみに用いられる。
全ての状況における異なる要求を満たすように、当該テーブルに、実際状況に応じて、行、列のパラメータ又はメインキー操作を追加することができる。
【００２９】
２、ネットワーク管理からネットワーク全体のパラメータテーブルであるネットワーク管理データテーブルをエクスポートし、図４に示すように、当該テーブルはネットワーク全体からエクスポートした実際のデータ配置である。比較の効率を確保するため、企画データテーブルにあるｓｈｅｅｔ頁、例えばＵＥＥ−ＵＴＲＡＮＭｅａｓｕｒｅｍｅｎｔのみをエクスポートすることもできる。
【００３０】
３、実際状況に応じて、配置ファイルを補正し、配置ファイルは以下のような*.iniファイルである：
[Ｄｅｆａｕｌｔ]
ＳｈｅｅｔＮａｍｅＲｏｗ＝１：ｄａｔａ  ｔａｂｌｅの第１行が、ネットワーク管理バックグラウンドからエクスポートされたデータ中のｓｈｅｅｔ頁の名称を表する。
ＴｉｔｌｅＲｏｗ＝６：ｄａｔａ  ｔａｂｌｅの第６行が、ネットワーク管理バックグラウンドからエクスポートされたデータ中のフィールド名称を表する。
ＤａｔａＢｅｇｉｎＲｏｗ＝７：ｄａｔａ  ｔａｂｌｅの第７行が、データの開始行である。
ＤａｔａＢｅｇｉｎＣｏｌ＝３：ｄａｔａ  ｔａｂｌｅの第３列が、データの開始列である。
ＤｅｆａｕｌｔＫｅｙＣｏｌ＝２：ネットワーク管理バックグラウンドからエクスポートされたデータの、比較時のデフォルトメインキー列を表し、ＤｅｆａｕｌｔＥｘｔｒａｃｔ＝ＳＤＲＭＥＩＤは、ネットワーク管理バックグラウンドからエクスポートされたデータのデフォルトメインキー列中のｅＮＢＩＤのフィールド名称を表する。
【００３１】
[Ｓｙｎｏｎｙｍ]は、ｄａｔａ  ｔａｂｌｅのメインキーフィールドとネットワーク管理バックグラウンドからエクスポートされたデータの対応関係を表する。
ＣｅｌｌＩＤ＝ＷＣＩＤ
ｅＮＢＩＤ＝ＳＤＲＭＥＩＤ
【００３２】
[ＴａｂｌｅＮａｍｅ]は、ｄａｔａ  ｔａｂｌｅデフォルトのｓｈｅｅｔ頁名称を表し、必ずこれと一致しなければならない。
Ｋｅｙ＝ｅＮＢ  ｃｏｍｍｉｓｓｉｏｎ ｄａｔａ  ｔａｂｌｅ
【００３３】
[ＵＥＥ−ＵＴＲＡＮＭｅａｓｕｒｅｍｅｎｔ]は、当該テーブルのメインキーがｅＮＢＩＤであることを表する。
Ｋｅｙ＝ｅＮＢＩＤ
【００３４】
配置ファイル[Ｄｅｆａｕｌｔ]において、ユーザは、実際状況に応じて、データの開始行及び列を補正することができ、複数のｓｈｅｅｔ頁を比較しなければならない場合、配置ファイルに対応するフィールドを追加して、例えばＵＥＥ−ＵＴＲＡＮＭｅａｓｕｒｅｍｅｎｔのように、本ｓｈｅｅｔ頁のメインキーであると標記すればよい。
【００３５】
４、図５に示すように、内部で中間ファイルを生成する。
【００３６】
５、比較結果は図６に示すとおりで、当該比較結果はネットワーク管理からエクスポートされたテーブルフォームと一致するので、当該比較結果を直接にネットワーク管理にインポートして有効にすることができ、符号Ｄ又はＭによって操作タイプを確定する。
【００３７】
本発明の実施例によると、データエクスポートユニットと、データ変換ユニットと、データ更新ユニットと、企画データ生成ユニットと、を含む企画データの一致性を保証する装置を提供し、前記データ変換ユニットは配置ファイル生成サブユニットと中間ファイル生成サブユニットとを含み、前記データ更新ユニットはデータ比較サブユニットと比較結果応用サブユニットとを含む。
【００３８】
データエクスポートユニットは、ネットワークの実際配置に基づいて、ネットワークで実際運行中のネットワーク管理データをエクスポートする。企画データ生成ユニットは、ネットワークの状況及びネットワーク企画原則に従って、ネットワークの企画を行って、予定のモデルフォームの企画データを得る。データ変換ユニットは、配置ファイル生成サブユニットを介して、前記予定のモデルフォームに基づいて、配置ファイルを生成し、また、中間ファイル生成サブユニットを介して、前記配置ファイルに基づいて、企画データを設定し、ネットワーク管理データと同じフォームの中間ファイルを得て、つまり、企画データを前記ネットワーク管理データと同じフォームの中間ファイルに変換することによって、データの比較及びデータの応用の便宜を図る。データ更新ユニットは、データ比較サブユニットを介して、前記中間ファイルと前記ネットワーク管理データとを比較して、マーク情報を有する比較結果を得て、前記マーク情報はデータの補正又はデータの削除を表するためのものであって、また、比較結果応用サブユニットを介して、前記マーク情報がデータの補正を表する場合、前記企画データに基づいて、前記ネットワーク管理データを補正し、前記マーク情報がデータの削除を表する場合、前記ネットワーク管理データを削除することで、前記企画データと前記ネットワーク管理データとの一致を実現する。
【００３９】
上述のように、本発明の実施例によると、以下の技術的効果を実現できる：
本発明の実施例によると、企画データとネットワーク管理中の実際配置されたデータとの一致性を確保でき、ネットワークの運行中の性能を信頼性を保証し、性能データが低下した後、高速且つ正確に測定することができない問題を解決できる。
【００４０】
上述において本発明を詳しく説明したが、本発明はこれらに限定されなく、当業者であれば、本発明の原理に基づいて各種の補正を行うことができる。したがって、本発明の原理に従って行った補正は、全て本発明の保護範囲内のものである。
【００４１】
産業実用性
上述のように、本発明の実施例に係わる企画データの一致性を保証する方法及び装置によると、データを比較することで企画データとネットワーク管理中の実際配置されたネットワーク管理データとの差異を発現でき、比較結果をＭ（補正）とＤ（削除）をマークとしてネットワーク管理で有効にすることで、企画データとネットワーク管理中に実際配置されたデータとの一致性を確保する。
【図１】
2015530050.tif 000003
【図２】
2015530050.tif 000004
【図３】
2015530050.tif 000005
【図４】
2015530050.tif 000006
【図５】
2015530050.tif 000007
【図６】
2015530050.tif 000008
【国際調査報告】
2015530050.tif 000009
2015530050.tif 000010
2015530050.tif 000011
2015530050.tif 000012